(57)【要約】      （修正有）【課題】遠隔操作端末により、ネットワークプラットフォームを介して室内照明を制御するシステムを提供する。【解決手段】ネットワークに接続される設備制御ユニット３００に構築されるネットワークで操作する室内照明システムであって、複数のリモートコントローラ２００は当該室内照明制御システムを制御するソフトウェアを備えており、ネットワークシステムにより当該室内照明システムを制御することができる。当該システムは各種のＬＥＤランプ器具１００の明度、ランプ光の色温度、ランプ光の照射角度、ランプ光の照明方向、および単一点／複数点でのＬＥＤランプ器具の能力を調節でき、さらにはオンライン故障診断機能を備えている。【選択図】図１
2012195286.tif 000002
【特許請求の範囲】
【請求項１】
少なくとも一つのＬＥＤモジュールと、ＬＥＤモジュールの光を透過させるレンズと、ＬＥＤモジュールとレンズとの距離を調節する角度調節手段と、ランプの方向を調節する方向調節手段と、内部制御のマイクロプロセッサとを備えており、当該ＬＥＤモジュールが少なくともＲＧＢ三原色ＬＥＤ光源を有している、少なくとも一つのＬＥＤランプ器具と、
システム制御の端末として、無線ネットワーク接続機能を備えたリモートコントローラと、
有線および／または無線ネットワーク接続機能を備えるとともに、前記少なくとも一つのＬＥＤランプ器具に接続されている設備制御ユニットと、を具備しており、前記設備制御ユニットはネットワークを介して前記リモートコントローラの制御信号を受信するとともに、制御信号に基づいて、コマンドをＬＥＤランプ器具に送信して、ひいてはＬＥＤランプ器具が以下の動作を実現する、
（１）光強度の調節：ＬＥＤモジュールの給電回路上の駆動電流を制御することにより、この電流を増減させることで、ＬＥＤランプ器具の光強度を無段階で調節する、
（２）色温度の調節：ＬＥＤモジュール中におけるＲＧＢ三原色ＬＥＤ光源の各々の駆動電流をそれぞれ制御することで、ＬＥＤランプ器具の光の色温度を調節する、
（３）発光角度の調節：方向調節手段を駆動して、レンズとＬＥＤモジュールとの間の距離を調節して、発光角度を調節する、
（４）発光方向の調節：角度調節手段を駆動して、ＬＥＤランプ器具の照射する方向を調節することで、発光角度を調節する、
（５）光強度の調整・制御：ＬＥＤモジュールの給電回路上の駆動電流を制御することにより、ＬＥＤランプ器具の光強度をある設定時間内で徐々に増減させて、最終的にはＬＥＤランプ器具を最暗、消灯または最明となるよう調節する、ものであり、
前記ＬＥＤランプ器具は調光駆動回路を備えており、前記マイクロプロセッサが調光コマンドを受信すると、調光駆動回路を介してＬＥＤモジュールに入力される電流の多寡を直線的に調節することで、ＬＥＤモジュールの光強度を連続的に増減し、
前記ＬＥＤモジュールは、ＲＧＢ三原色ＬＥＤ光源にそれぞれ接続されている色温度駆動回路を備えており、前記マイクロプロセッサが色温度調節コマンドを受信すると、ＲＧＢ三原色ＬＥＤ光源に入力される電流の多寡を色温度制御回路を介してそれぞれ調節することで、ＬＥＤモジュールの色温度を調節し、
前記角度調節手段はモータと駆動部材とを備えており、マイクロプロセッサが角度調節コマンドを受信すると、モータの動作を制御して、駆動部材を介して、レンズとＬＥＤモジュールとの距離を制御し、
前記方向調節手段はモータ群と角度駆動部材とを備えており、マイクロプロセッサが方向調節コマンドを受信すると、方向モータ群の動作を制御して、駆動部材を介してＬＥＤランプ器具の照射方向を制御する、ことを特徴とするネットワークで操作する室内照明システム。
【請求項２】
前記リモートコントローラはハンドヘルド型装置、携帯電話機またはコンピュータであり、
前記設備制御ユニットはメインプロセッサと、ＨＵＢ／ＡＰとを備えており、当該メインプロセッサはＨＵＢ／ＡＰを介して前記ＬＥＤランプ器具に接続され、
前記前記リモートコントローラは一つ以上のＬＥＤランプ器具の動作を制御する、ことを特徴とする請求項１に記載のネットワークで操作する室内照明システム。
【請求項３】
前記ＬＥＤランプ器具は故障診断モジュールを備えており、ランプ器具の故障時には設備制御ユニットにフィードバックして、ショートメッセージまたは電子メールを使用者に送信する、ことを特徴とする請求項１に記載のネットワークで操作する室内照明システム。
【請求項４】
前記ＬＥＤランプ器具は監視センサと温度センサとを備えており、前記監視センサはＬＥＤランプ器具が照らす範囲内の人の数を検知して、マイクロプロセッサにフィードバックすると、マイクロプロセッサによりＬＥＤモジュールの光強度を自動的に調節するものであり、当該温度センサは周囲温度の変化を検知して、マイクロプロセッサにフィードバックすると、マイクロプロセッサによりＬＥＤモジュールの色温度を自動的に調節する、ことを特徴とする請求項１に記載のネットワークで操作する室内照明システム。
【発明の詳細な説明】
【技術分野】
【０００１】
本発明は家庭用照明器具管理システムに関し、とりわけネットワークプラットフォームを介して照明器具を制御するシステムに関する。
【背景技術】
【０００２】
一般的な白熱電球では１ワットあたりの光束量は１０ルーメンでしかない一方で、ＬＥＤ製造メーカでは、ＬＥＤランプは１ワットあたり１６０ルーメンに達すると公称している。しかしながら、実際の製品において、外形および最高作動温度の限界により、ＬＥＤランプが潜在能力を余すことなく発揮することは難しい。現在、市販されている性能が最も優れているＬＥＤランプでは、効率は通常８０〜１００ルーメンに達することができる。ＣＦＬランプは、効率範囲が６０〜７０ルーメンであるうえ、改善の余地に限りがあり、しかもその現象が環境に有害であることに比べて、ＬＥＤランプは効率基準の面でＣＦＬランプよりも優れており、そして環境保護の面でＣＦＬランプを遥かに超えていることが分かる。人々の中でも地球温暖化および気候変動などの環境問題に対する意識が常に高まっていることを受けて、資源およびエネルギーの節約理念はまさに多くの市場戦略におけるポイントとなっている。
【０００３】
つまり、ＬＥＤが持つ優勢は公衆の安全、省エネおよび環境にやさしい照明といったものに対する解決法の熱い希望に非常に適合しているところである。ＬＥＤランプは、例えば高い調光能力、長寿命および小型であるといったその他の長所も備えており、外形、色、寿命およびコストの面で利便性の扉を開いた。機械的、光、電気および熱などの面の長所を兼備したＬＥＤ照明の解決法で、従来の照明源（蛍光灯、ＣＦＬランプ、ハロゲンランプまたはその他白熱電球）と置換することは、今まさに起きている工業的変革である。
【０００４】
現在、商業、事務環境および住宅照明市場で高品質のＬＥＤ改良ランプが叫ばれているが、全体から言えば、改善を必要とするところとして、主にコスト削減の問題以外に、下記するような技術的な問題がある。
【０００５】
現在、ネットワーク技術が日進月歩で進歩してきていることから、多種多様な電子製品はいずれもネットワークを介して操作することができるようになり、現在の家庭のランプ器具も同様にネットワークシステムで調節できるため、家庭のランプ器具とネットワークシステムとを組み合わせて遠隔操作するというものは未来における必然的な趨勢として予見される。
【発明の概要】
【発明が解決しようとする課題】
【０００６】
一般的にＬＥＤランプは使用において、光強度（ｌｉｇｈｔ ｉｎｔｅｎｓｉｔｙ）、色温度（ｃｏｌｏｒ ｔｅｍｐｅｒａｔｕｒｅ）、発光角度（ｂｅａｍ ａｎｇｌｅ）、発光方向（ｄｉｒｅｃｔｉｏｎ）、単一点／複数点制御およびオンラインでの故障診断などの問題がある。これら技術的な核心についてどのように良好に制御を行うかということは、ＬＥＤランプが使用者に利便性をもたらすか否かというポイントとなる。
【０００７】
上記した状況に基づき、どのようにして家庭用ランプを制御して、ひいてはＬＥＤランプの各要素について制御を行うという問題について、本発明は一連の方法を設計した。
【課題を解決するための手段】
【０００８】
本発明の目的は、遠隔操作端末により、ネットワークプラットフォームを介して室内照明を制御するシステムを提供するところにあり、このシステムでは室内のＬＥＤランプ器具を直列接続してＬＡＮを形成しており、リモートコントローラを用いて、当該ＬＡＮ内における各々のランプ器具を制御することで、各要素性能の調整を実現するものである。
【０００９】
ネットワークで操作する室内照明システムは、
少なくとも一つのＬＥＤモジュールと、ＬＥＤモジュールの光を透過させるレンズと、ＬＥＤモジュールとレンズとの距離を調節する角度調節手段と、ランプの方向を調節する方向調節手段と、内部制御のマイクロプロセッサとを備えており、当該ＬＥＤモジュールがＲＧＢ三原色ＬＥＤに限定されない光源を少なくとも有している、少なくとも一つのＬＥＤランプ器具と、
システム制御の端末として、無線ネットワーク接続機能を備えたリモートコントローラと、
有線および／または無線ネットワーク接続機能を備えるとともに、前記少なくとも一つのＬＥＤランプ器具に接続されている設備制御ユニットと、を具備しており、前記設備制御ユニットはネットワークを介して前記リモートコントローラの制御信号を受信するとともに、制御信号に基づいて、コマンドをＬＥＤランプ器具に送信して、ひいてはＬＥＤランプ器具が以下の動作を実現する、
（１）光強度の調節：ＬＥＤモジュールの給電回路上の駆動電流を制御することにより、この電流を増減させることで、ＬＥＤランプ器具の光強度を無段階で調節する、
（２）色温度の調節：ＬＥＤモジュール中におけるＲＧＢ三原色ＬＥＤ光源の各々の駆動電流をそれぞれ制御することで、ＬＥＤランプ器具の光の色温度を調節する、
（３）発光角度の調節：方向調節手段を駆動して、レンズとＬＥＤモジュールとの間の距離を調節して、発光角度を調節する、
（４）発光方向の調節：角度調節手段を駆動して、ＬＥＤランプ器具の照射する方向を調節することで、発光角度を調節する、
（５）光強度の調整・制御：ＬＥＤモジュールの給電回路上の駆動電流を制御することにより、ＬＥＤランプ器具の光強度をある設定時間内で徐々に増減させて、最終的にはＬＥＤランプ器具を最暗、消灯または最明となるよう調節する、ものである。
【００１０】
本発明におけるＬＥＤランプ器具は、室内の任意位置に設置されている照明ランプとされて、設備制御ユニットに集約的に接続されることで、ネットワーク接続を実現するものであり、使用者はネットワークの端末としてのリモートコントローラにより、ＬＥＤランプ器具の各種機能の要素を簡単に調節できる。
【００１１】
上記したリモートコントローラはハンドヘルド型装置、携帯電話機またはコンピュータである。使用者はリモートコントローラにシステム専用のソフトウェアをダウンロードするか、またはシステムの特定制御コードを入力することで、システム内のＬＥＤランプ器具を制御することができる。
【００１２】
このうち、設備制御ユニットはメインプロセッサと、ＨＵＢ／ＡＰとを備えており、当該メインプロセッサはＨＵＢ／ＡＰを介して前記ＬＥＤランプ器具に接続されて、有線または無線接続を実現する。
【００１３】
ＬＥＤランプ器具の光強度の調節に関しては、ＬＥＤモジュールの給電側に配置される調光駆動回路を用いることで、ＬＥＤモジュールの電流の多寡を制御するものであり、マイクロプロセッサが調光コマンドを受信すると、調光駆動回路はＬＥＤモジュールに入力される電流の多寡を直線的に調節することで、ＬＥＤモジュールの光強度を連続的に増減することができる。
【００１４】
ＬＥＤランプ器具の色温度の調節に関しては、三原色である赤色 ＬＥＤ、緑色 ＬＥＤ、青色 ＬＥＤにそれぞれ対応し、各々ＲＧＢ ＬＥＤの給電側に配置されている三つの色温度制御回路を用いることで、ＲＧＢ ＬＥＤ電流の多寡をそれぞれ制御するものであり、マイクロプロセッサが色温度調節コマンドを受信すると、ＲＧＢ ＬＥＤに入力される電流の多寡を色温度制御回路を介してそれぞれ調節することで、ＬＥＤモジュールの色温度を調節することができる。
【００１５】
角度調節に関する方法では、角度調節手段にモータおよび駆動部材を用いて、モータが駆動部材を介してレンズまたはＬＥＤモジュールの相対的な距離を制御して、レンズにより屈折光の焦点を変化させて、ＬＥＤの光照射角度を変化させることができるものであり、マイクロプロセッサが角度調節コマンドを受信すると、モータの動作を制御して、駆動部材を介して、レンズとＬＥＤモジュールとの距離を制御して、照射される光の角度範囲を変化させることができる。
【００１６】
方向調節に関する方法では、方向調節手段に方向モータ群および角度駆動部材との組合わせを用いて、方向モータ組が角度駆動部材に組み合わされることで三軸方向の運動を実現することができるものであり、マイクロプロセッサが方向調節コマンドを受信すると、方向モータ群の動作を制御して、駆動部材を介してＬＥＤランプ器具を所望の照射方向とする。
【００１７】
上記したリモートコントローラは一つ以上のＬＥＤランプ器具の動作を制御して、単一点または複数点制御を実現する。もし室内で一つのＬＥＤランプ器具のみを作動させたい場合、リモートコントローラで当該ＬＥＤランプ器具を単独に制御して、当該ＬＥＤランプ器具の関連機能を実現する。もし室内における複数のＬＥＤランプ器具を同時に作動させたい場合には、リモートコントローラで、操作したいＬＥＤランプ器具セットを選択するとともに、関連する制御コマンドを選択して、当該複数のＬＥＤランプ器具を制御して、統合的な制御が実現するため、かなり便利である。
【００１８】
上記方法の更なる改善として、ＬＥＤランプ器具は、ＬＥＤランプ器具の各部材に接続されて、各部材の動作状況を監視・検知する故障診断モジュールを備えて、ランプ器具の故障時には設備制御ユニットにリアルタイムにフィードバックして、ショートメッセージまたは電子メールを使用者に送信してもよい。
【００１９】
また更なる改善として、ＬＥＤランプ器具は監視センサを備えて、ＬＥＤランプ器具が照らす範囲内の人の数を検知して、マイクロプロセッサにフィードバックすると、マイクロプロセッサによりＬＥＤモジュールの光強度を自動的に・・・・、光強度の自動調節を実現してもよい。
【００２０】
全体的には、ＬＥＤランプ器具は温度センサを備えて、周囲温度の変化を検知して、マイクロプロセッサにフィードバックすると、マイクロプロセッサによりＬＥＤモジュールの色温度を自動的に調節して、色温度の自動調節を実現してもよい。
【発明の効果】
【００２１】
本発明の有益な効果は次のとおりである。本発明ではリモートコントローラにより、既存のネットワークを借りて、制御信号を設備制御ユニットに送信し、そして設備制御ユニットは対応するコマンドを出力することでシステム内における一つ以上のランプ器具に対して光強度、色温度、光照射角度および光照射方向の制御を行うものであり、その制御機能は万全で、利便性高く、使用者が照明システムを統合的に管理しやすくなる。つまり、本発明では従来のネットワークプラットフォームとＬＥＤ技術の発展の趨勢を結合させることで、ＬＥＤ管理がより直感的に、人に優しくなり、使用者にはより優れた体感をもたらすことになる、また組み合わされる光強度および色温度の自動調節は、より親切な使用感となるうえ、省エネにも有利になる。
【図面の簡単な説明】
【００２２】
【図１】本発明のシステムの全体的な構造概略図。
【図２】本発明の一実施例におけるＬＥＤランプ器具の回路原理ブロック図。
【図３】ＬＥＤ光源の電流値と光強度との関係図。
【図４】本発明の一実施例におけるＬＥＤランプ器具の回路原理ブロック図。
【図５】本発明の一実施例における角度調節手段の原理ブロック図。
【図６】本発明の一実施例におけるＬＥＤランプ器具の構造概略図。
【図７】図６の他の状態の構造概略図。
【図８】本発明の一実施例における方向調節手段の原理ブロック図。
【図９】本発明の一実施例における方向調節手段付きのＬＥＤランプ器具の構造概略図。
【図１０】本発明のＬＥＤランプ器具に故障診断モジュールを増設した実施例の原理ブロック図。
【図１１】本発明のＬＥＤランプ器具に監視センサおよび温度センサを増設した実施例の原理ブロック図。
【発明を実施するための形態】
【００２３】
本発明で提供するネットワークで操作する室内照明システムは、室内で使用されるＬＥＤランプ器具に対する設計であって、通常、室内には一つ以上のランプ器具が設けられるとともに、異なる位置に配置されており、従来技術では多くとも単独のランプ器具のみを制御する方法でしかなく、使用は煩雑であるうえ、資源の浪費に繋がり、居住の利便性および省エネ・低排出の理念には適合しなかったことから、本発明ではこのための改善を行っている。図１に示すように、本発明で提供する室内照明システムの物理構造は下記のものが含まれる。
【００２４】
少なくとも一つのＬＥＤランプ器具１００は室内に設置されており、当該ＬＥＤランプ器具１００は少なくとも一つのＬＥＤモジュール１１０と、ＬＥＤモジュールの光を透過させるレンズ１２０と、ＬＥＤモジュール１１０とレンズ１２０との距離を調節する角度調節手段１３０と、ランプの方向を調節する方向調節手段１４０と、内部制御のマイクロプロセッサ１５０とを備えており、このうち、当該ＬＥＤモジュール１１０は三原色である赤色ＬＥＤ光源１１１と、緑色ＬＥＤ光源１１２と、青色ＬＥＤ光源１１３とからなる。
【００２５】
無線ネットワーク接続機能を備えたリモートコントローラ２００はシステムの制御端末とされるものであって、当該リモートコントローラ２００は携帯電話機、例えばＰＤＡといったハンドヘルド型装置、または例えばＰＣ、ネットブック、タブレット型コンピュータなどのその他形態のコンピュータとすることができる。使用者は、本発明のシステム専用のソフトウェアをダウンロードするとともに、特定制御コードを入力するか、またはその他特性の登録方式で、対応する照明システムとのペアリングが実現するので、使用者は端末としてのリモートコントローラ２００上でコマンドを入力することで室内ＬＥＤランプ器具を制御することができる。
【００２６】
設備制御ユニット３００は、有線／無線ネットワーク接続機能を備えるとともに、システムのＬＥＤランプ器具１００に接続されるものであって、設備制御ユニット３００の最も典型的な形態は例えばデスクトップ型コンピュータまたはワークステーションといったメインプロセッサ３０１と、ＨＵＢ／ＡＰデバイス３０２とである。メインプロセッサ３０１はＨＵＢ／ＡＰデバイス３０２を介して有線または無線方式でシステムの各ＬＥＤランプ器具１００に接続されて、情報伝送を実現して機能制御を実現する。
【００２７】
本発明において、使用者はリモートコントローラ２００を介して各種コマンドを入力することができる。コマンドは、例えば携帯電話通信網であるＧＳＭ、ＧＰＲＳ、３Ｇ、またはインターネットといった現代のネットワークを介して、設備制御ユニット３００により受信されるとともに、当該制御信号に基づいて、対応するコマンド信号を対応するＬＥＤランプ器具１００に送出して、ＬＥＤランプ器具１００のマイクロプロセッサ１５０により解析されて、ＬＥＤランプ器具１００が対応する機能変化を行うよう制御することができる。
【００２８】
本発明では、ハードウェアを拡張することで、リモートコントローラ２００はシステム内部の一つ以上のＬＥＤランプ器具１００を制御することができるうえ、個別にそれぞれ制御するか、または一組としてセットして同時に制御することができる。例えば室内の一つのＬＥＤランプ器具のみを作動させたい場合、リモートコントローラにより当該ＬＥＤランプ器具を制御するように単独で選択して、当該ＬＥＤランプ器具のみに対する関連機能を実現できる。もし室内における複数のＬＥＤランプ器具を同時に作動させたい場合には、リモートコントローラで、操作したいＬＥＤランプ器具セットを選択するとともに、関連する制御コマンドを選択して、当該複数のＬＥＤランプ器具を制御して、統合的な制御が実現される。
【００２９】
本発明で提供するシステム方法によれば、以下に含まれる制御機能を実現することができる。
【００３０】
一、光強度の調節
使用者のリモートコントローラ２００によりＬＥＤランプ器具１００の光強度を調節して、無段階調節を実現する。一実施例としての図２に示すように、ＬＥＤランプ器具１００は調光駆動回路１６０を備えて、ＬＥＤランプ器具１００の駆動電流を直接調節するのが比較的好ましい実現方法であって、原理上ではＬＥＤモジュール１１０の入力側に配置されるとともに、マイクロプロセッサ１５０に接続されてマイクロプロセッサ１５０により制御される。ユーザはリモートコントローラ２００を介して対応するコマンドを入力して（例えば明暗変更コマンドを、リモートコントローラ２００のインターフェイスに直接反応させる）、設備制御ユニット３００が対応する信号を受信するとともにＬＥＤランプ器具１００のマイクロプロセッサ１５０に対応するコマンドを伝送すると、マイクロプロセッサ１５０は当該コマンドを識別した後、正確な信号を調光駆動回路１６０に送出する。図３に示すように、ＬＥＤ光源および入力される動作電流との直線関係から分かるように、ＬＥＤモジュール１１０に前置されている調光駆動回路１６０は直線状で無段階に電流の多寡を調節することで、ＬＥＤランプ器具１００の光強度を連続的に増減することができる。
【００３１】
二、色温度の調節
使用者のリモートコントローラ２００によりＬＥＤランプ器具１００の色温度を調節するが、その基本原理はＬＥＤモジュール１１０中の三原色のＬＥＤ光源、つまり赤色ＬＥＤ光源１１１、緑色ＬＥＤ光源１１２、青色ＬＥＤ光源１１３の各々異なるスペクトラム波長を混ぜ合わせて、ＬＥＤモジュール１１０の最終的な色温度が得られるというものである。そして三原色のＬＥＤ光源の色温度の各々は、明度に関係しているので、本発明の実施形態では三原色ＬＥＤ光源の各々の明度を調節することで、最終的にはＬＥＤモジュール１１０は光が混色し、異なる色温度を表現している。図４に示すように、本発明の好ましい実施例において、三原色ＬＥＤ光源の各々の明度は、各々電源入力端に色温度の駆動回路１１４を前置し、Ｒ、Ｇ、Ｂ三原色ＬＥＤ光源のそれぞれの駆動回路１１４の出力電流を調節することで、明度の異なるベース光が得られて、光を混ぜ合わせた後にＬＥＤモジュール１１０は色温度の異なる光が得られる。
【００３２】
例えば、本発明の一実施例において、赤色ＬＥＤ光源１１１の波長を６１５〜６２０ｎｍ、緑色ＬＥＤ光源１１２の波長を５３０〜５４０ｎｍとし、青色ＬＥＤ光源１１３の波長を４６０〜４７０ｎｍとしており、使用者はリモートコントローラ２００にて、例えば色温度を下げるなどの対応するコマンドを入力し、ネットワークを介して設備制御ユニット３００に送出し、設備制御ユニット３００はＬＥＤランプ器具１００を指定する対応するコマンドを送出して、赤色ＬＥＤ光源１１１の明度を高めるか、または青色ＬＥＤ光源１１３の明度を下げて、色温度を下げる効果を達成できる。
【００３３】
三、発光角度の調節
本発明にて提供される発光角度では、ＬＥＤランプ器具１００が照射した光の角度は、照射環境内の光のカバー面積として表現されており、本発明で採用される方法では、角度調節手段１３０で調節するものは、図５〜図７を参照するように、典型的な角度調節手段１３０ではモータ１３１と駆動部材１３２との組合わせを用いて、駆動部材１３２がレンズ１２０またはＬＥＤモジュール１１０の動作を制御して、両者の相対的な距離を調節するものであり、ＬＥＤモジュール１１０が出射した光はレンズ１２０により屈折されて周囲に照射される。レンズ１２０のＬＥＤモジュール１１０に対する距離は、屈折して出射された光角度の大きさに関係しているので、両者の距離を調節することで、最終的な発光角度の調節を実現することができる。使用者はリモートコントローラ２００にて対応するコマンドを入力するが、もし対応するＬＥＤランプ器具１００の角度を増大させたい場合には、制御信号はネットワークを介して設備制御ユニット３００により受信されるとともに、コマンドを対応してＬＥＤランプ器具１００に送出して、マイクロプロセッサ１５０により当該角度調節手段１３０のモータ１３１の正方向動作または逆方向動作を制御し、図７に示すように、駆動部材１３２によりレンズ１２０またはＬＥＤモジュール１１０が相対的に近づくように制御して、ひいてはＬＥＤモジュール１１０の光がレンズ１２０を通過した後の光照射角度が増大するので、ＬＥＤランプ器具１００の発光角度が大きくなる。当該構造を用いることで、同様に無段階の調節を実現しやすくなり、光照射角度を自由に調節しやすくなる。
【００３４】
四、発光方向の調節
本発明における発光方向は方向調節手段１４０により調節することができる。図８〜９に示すように、方向調節手段１４０は典型的には、動力を提供するモータ群１４１と、角度駆動部材１４２とを備えており、ＬＥＤランプ器具１００の本体は角度駆動部材１４２により固定されている。広角での方向調節を実現するために、角度駆動部材１４２は縦方向角度および横方向角度の連動機構を少なくとも備えており、対応するモータ群１４１は縦方向角度および横方向角度を駆動する部材を少なくとも備えている。使用者はリモートコントローラ２００にて、例えば対応するＬＥＤランプ器具１００を指定方向で回転させるよう制御する対応するコマンドを入力すると、制御信号はネットワークを介して設備制御ユニット３００により受信されるとともに、コマンドを対応してＬＥＤランプ器具１００に送出して、マイクロプロセッサ１５０により当該方向調節手段１４０のモータ群１４１を制御し、所望の方向に動作させて、角度駆動部材１４２での回転がＬＥＤランプ器具１００本体の指定方向での回転として現れる。このように発光方向が調節され、同様に当該構造では無段階の調節を実現しやすくなり、光照射方向を自由に調節しやすくなる。
【００３５】
五、故障の診断
本発明のシステム方法は、使用者端末からＬＥＤ端末までの双方向連動であるので、上記した使用者がＬＥＤランプ器具１００を積極的に動作させる以外にも、ＬＥＤランプ器具１００から情報を使用者にフィードバックする機能性装置を増設してもよい。図１０に示すように、本発明ではＬＥＤランプ器具１００の回路構造上に故障診断モジュール１７０を増設しており、原理上での表現では給電側および各部材上に接続されるとともに、マイクロプロセッサ１５０に接続されており、給電に異常があるか、ある部分に故障が発生したときに、リアルタイムに検知するとともに、結果を設備制御ユニット３００にフィードバックして、そして設備制御ユニット３００は公共的なネットワークを介して、ショートメッセージ、識別情報または電子メールを使用者に送信して、使用者に故障を処理するよう促すことができる。
【００３６】
六、光強度の自動調節
図１１に示すように、本発明ではＬＥＤランプ器具１００にマイクロプロセッサ１５０に接続される監視センサ１８０が設けられており、監視センサ１８０は赤外線センサまたはＬＥＤランプ器具１００の照射領域を走査するイメージセンサとすることができ、当該エリアで例えば３人を超えるというように人が増えたとき、マイクロプロセッサ１５０にフィードバックして、マイクロプロセッサ１５０は調光駆動回路１６０の入力電流を増大させるように制御して、ＬＥＤランプ器具１００の明度を高める。一方、例えば無人というように人が少なくなりすぎたときには、マイクロプロセッサ１５０は入力電流を減少させるように制御して、ＬＥＤランプ器具１００の明度を下げるか、またはスリープ状態とする。このように知能的な光の自動調節を実現することができると同時に、調光結果を使用者のリモートコントローラ２００にフィードバックすることができる。
【００３７】
七、色温の自動調節
同様に図１０に示すように、本発明ではさらにＬＥＤランプ器具１００に、周囲温度を監視するためにマイクロプロセッサ１５０に接続されている温度センサ１９０を備えている。例えば温度が下がるというように周囲温度が変化したときには、マイクロプロセッサ１５０にフィードバックして、マイクロプロセッサ１５０は、例えば赤色ＬＥＤ光源１１１の電流を増大させて、その明度を高めるというようにＲＧＢ三原色ＬＥＤの駆動回路１１４で入力電流を調整するように制御して、最終的にはＬＥＤモジュール１１０上に現れて、色温度を下げて、また周囲の光を人に快適さを感じさせる暖色調とする。
【００３８】
八、光強度の調整・制御
使用者のリモートコントローラ２００によりＬＥＤランプ器具１００の光強度を制御するには、ＬＥＤモジュールの給電回路上の駆動電流を制御することにより、ＬＥＤランプ器具の光強度をある設定時間内で徐々に増減させて、最終的にはＬＥＤランプ器具を最暗、消灯または最明となるよう調節し、無段階調節を実現する。第１の機能との相違点は、本機能の調整・制御はＬＥＤランプ器具の光強度がある設定時間範囲内で徐々に変化するところである。例えば、人の睡眠時には、３０分間内において、最暗または完全に消灯するまでの間にＬＥＤランプ器具を徐々に暗くしていくというものであり、これにより人為的な制御をなくし、人に優しいカスタマイズ性が顕著となる。
【００３９】
当然のこと、上記は単に本発明の最も常用される数種類の実施形態に過ぎず、室内照明は具体的な環境および使用状況の相違により、本発明のシステム構成を基本とする前提において、制御方法には数多くの変化があるので、本発明のシステムは異なる使用状況によって再構成が可能であって、作業者は実際の状況に基づいてシステムを再構成することで、システム機能を新たにし、実際の設備状況に適合させることができる。これに合わせて、使用者は新たなシステムプログラムをリモートコントローラ２００、設備制御ユニット３００にダウンロードすることができるので、使用環境に適合させて、しかもより豊富な機能拡張性を達成することができる。
【００４０】
本発明のシステムからより多くの多様性に発展させて、機能がより豊富となる室内ランプ器具の制御が可能となるので、注意すべきことは、上記では本発明の好ましい実施形態を説明するに過ぎないということである。したがって、本発明の唯一の保護範囲と見なすべきではなく、本発明の保護範囲から離れない中で、本発明の技術分野における当業者にとっては、数多くの変化および付加を行うことができるということを理解すべきである。本発明は開示されている実施例に限定されず、特許請求の範囲の保護範囲で記載されているものを基準とすべきであって、本発明の特許請求の範囲から逸脱することはく成された均等の変化および付加は、本発明の包括する範囲に属するものである。
【符号の説明】
【００４１】
１００ＬＥＤランプ器具
１１０ＬＥＤモジュール
１１１赤色ＬＥＤ光源
１１２緑色ＬＥＤ光源
１１３青色ＬＥＤ光源
１１４駆動回路
１２０レンズ
１３０角度調節手段
１３１モータ
１３２駆動部材
１４０方向調節手段
１４１モータ群
１４２角度駆動部材
１５０マイクロプロセッサ
１６０調光駆動回路
１７０故障診断モジュール
１８０監視センサ
１９０温度センサ
２００リモートコントローラ
３００設備制御ユニット
３０１メインプロセッサ
３０２ＨＵＢ／ＡＰデバイス
【図１】
2012195286.tif 000003
【図２】
2012195286.tif 000004
【図３】
2012195286.tif 000005
【図４】
2012195286.tif 000006
【図５】
2012195286.tif 000007
【図６】
2012195286.tif 000008
【図７】
2012195286.tif 000009
【図８】
2012195286.tif 000010
【図９】
2012195286.tif 000011
【図１０】
2012195286.tif 000012
【図１１】
2012195286.tif 000013